(57)【要約】【課題】  安価な入金機で、大型店舗のテナント店毎で釣銭準備金を取出せる装置であり、テナント店が売上金の入金だけでなく翌日の釣銭準備金を入手できることにより、売上金管理の負担を軽減する。【解決手段】  装置横に釣銭保管庫を有する。この釣銭保管庫はテナント店毎に対応した複数の釣銭トレーにより構成された釣銭保管庫を有し、各釣銭トレーには釣銭準備金を金種・枚数を各々設定して保管できる。又、釣銭トレーは、釣銭装填時に金種・枚数を変更が可能である。ＩＤカードにより、釣銭トレーの開放権限の有する。これらによりテナント店毎に売上金を入金する際に釣銭準備金を入手できるため現金管理が軽減される。【選択図】  図１
2013239053.tif 000002
【特許請求の範囲】
【請求項１】
店舗等の売上金を入金計数し、売上金回収庫に収納する売上金入金機であって、
店舗毎の釣銭準備金を分類して保管する釣銭保管庫と、
前記釣銭保管庫から利用者が指定する金額の釣銭を放出する釣銭放出機構と、
を有することを特徴とする売上金入金機。
【請求項２】
請求項１に記載の売上金入金機であって、
前記釣銭保管庫は、異なる店舗に対応した複数の釣銭トレーにより構成され、
前記各々の釣銭トレーは、釣銭装填時にその金種と枚数を各々設定して保管することを特徴とする売上金入金機。
【請求項３】
請求項２に記載の売上金入金機であって、
利用者を識別するカードの情報を読み取るカード読取部と、
前記各々の釣銭トレーにその施錠及び解錠を行う電磁ロック機構と、を有し、
前記カード読取部にて読み取ったカードの利用者情報に対応する、前記釣銭トレーの電磁ロック機構を制御することを特徴とする売上金入金機。
【請求項４】
請求項３に記載の売上金入金機であって、
利用者が入金時に前記所定の釣銭トレーのロックを解除すると、前記入金した金額から前記ロックが解除された釣銭トレーに保管されていた釣銭の金額を減額して入金金額として入金処理することを特徴とする売上金入金機。
【請求項５】
請求項１〜４のいずれかに記載の売上金入金機であって、
前記釣銭保管庫は着脱可能な構造としたことを徴とする売上金入金機。
【発明の詳細な説明】
【技術分野】
【０００１】
本発明は、一つの店舗、もしくは複数の店舗が入居した建物等で共通して使用される売上金入金機に関するものである。
【背景技術】
【０００２】
従来の売上金入金機では、ユーザが釣銭を準備するに当たり、予め釣銭として残す現金を人手により抜き取り、残った現金を売上金として売上金入金機に収納する必要があり、数え間違いが無いように行うことは現金取扱者の大きな負担となっている。これを解消する為に、入金した貨幣を自動的に釣銭準備金として払い出し、これをユーザが取り出す装置が考案されている（例えば特許文献１〜２）。
【先行技術文献】
【特許文献】
【０００３】
【特許文献１】特開２００８−１９１８６１号公報
【特許文献２】特開２０１０−６７０７０号公報
【発明の概要】
【発明が解決しようとする課題】
【０００４】
従来の売上金入金機では、テナント店等の複数店舗が共同使用する場合、釣銭を保管する保管庫がついていても、釣銭保管庫をテナント毎に分類できないため、テナント毎の台数の入金機が必要になってしまう。また、実際に分類できたとしてもセキュリティー機能が無いとテナント店毎の釣銭準備金の管理ができない。また、前記のような入金した貨幣から釣銭準備金を自動的に振り分ける機構では、還流機能、別カセットの増加等により高価なものになってしまう。
【課題を解決するための手段】
【０００５】
上記目的を達成するために、本発明の入金機は、入金機本体横に設置された釣銭保管庫を持つ。釣銭保管庫は店舗内レジに対応した複数のトレーにより構成される。各トレーには釣銭の金種・枚数を各々設定して保管できる。
【０００６】
トレーの開閉は、トレー電磁ロック等の機械的手段により、施錠・解錠を行い、カード読取機構と連動する。各レジまたは店舗毎のＩＤカードによりトレー解放権を得て画面より解放するトレーを指定すると、当日の売上金を入金した金額を記憶し、指定した釣銭準備用トレーのロックが解除され、必要な釣銭を払い出す。この時に入金した売上金の入金から払い出された翌日用の釣銭準備金を引くことにより、実際の当日の売上金を管理できることを特徴とする。
【発明の効果】
【０００７】
テナント店等の複数店舗が共同使用する大型店舗において、各テナント店ユーザが店舗の現金を入金する際に店舗毎に必要とする釣銭準備を放出することにより、売上金の入金と必要な釣銭を受け取ることができるので、テナント毎に入金機に収納される売上金から受け取った釣銭金額から差引くことにより、実際の売上金に一致させる事ができ、面倒な経理操作が不要になる。
【０００８】
また、入金された貨幣を自動的に釣銭準備金として振り分け装置内に還流させる複雑な機能が無いため、安価な構成が実現できる。
【図面の簡単な説明】
【０００９】
【図１】本発明の実施例における売上金入金機の概略外観構成図である。
【図２】本発明の実施例における売上金入金機の内部ブロック図である。
【発明を実施するための形態】
【００１０】
本発明を実施するための最良の形態を以下にて説明する。
【００１１】
本発明の概略構成を図１に示す。また、図２に本発明の釣銭保管庫概略構成図を示す。
本発明の運用方法は、回収業者と店舗は予め必要となる釣銭準備金の金種・枚数を契約しておく。これに基づき回収員は釣銭が必要となる前日までにテナント店毎の釣銭準備金を釣銭保管庫４１に装填しておく。当日、テナント店担当者が、売上金を入金すると同時に、付属の釣銭保管庫４１から放出される釣銭準備金を受取る流れとなる。以下に釣銭準備金装填から釣銭準備金受け取りまでの全体の流れを示す。
【００１２】
１．釣銭装填手順
回収員が、釣銭準備金装填用のＩＤカード５をカード読み取り部４にて読み込ませることにより、制御部３で回収員ＩＤを認識し、釣銭保管庫扉３４をロックしている扉ロック３３の施錠が解除され、釣銭準備金の装填可能となる。表示部１内に表示される装填メニューにて釣銭トレー番号及び、テナント店ＩＤ番号を入力部２より入力することにより、指定した釣銭トレー３１のトレー電磁ロック３２が解除される。
【００１３】
各釣銭トレー３１には釣銭トレーＮｏ.もしくは店舗名が表示されており目視にて確認できるようになっている。テナント店要求の金種・枚数の釣銭準備金を釣銭トレー３１にセットし、釣銭トレー３１を押込むことにより、トレー電磁ロック３２がロックする。装填する必要のある全ての釣銭トレー３１に釣銭の装填が完了したら、入力部２より完了キーを押下することにより、扉ロック３３が施錠される。装填された釣銭トレーＮｏ.釣銭準備金の金種・枚数及び回収員ＩＤは、制御部３に記憶され、釣銭準備金の装填完了となる。
【００１４】
なお、各々の釣銭トレー３１には開閉検出センサを有し、ロックが不完全な場合は表示部１にメッセージを出すとともに、本体に内蔵されたスピーカにより警告を促すとともに、前記釣銭保管庫扉３４が閉まらず釣銭トレー３１のロック不完全が検出できる構造となっている。
【００１５】
また、釣銭保管庫扉３４の閉まりが不完全な場合も同様に表示と警告音を発生する回収員が貨幣を釣銭トレー３１に入れ間違うことを防ぐため貨幣側の運搬袋硬貨包装紙にバーコードを予め回収センターにて貼り付け現地にて装填前にバーコードを読み取らせ、装置にて照合する機能も具備可能である。
【００１６】
２．売上金入金手順
当日、テナント店担当者は当日分の売上金を先ず入金計数し、売上金回収庫に収納する。テナント店担当者は、入金用のＩＤカード５をカード読み取り部４にて読み込ませることにより、制御部３で入金店舗ＩＤを認識し入金可能となる。入金する紙幣を紙幣投入部１１にセットし、入力部２のスタートボタンを押下することにより一枚毎に分離され紙幣識別部１２に搬送される。紙幣識別部１２では、金種を判定し、その後紙幣一時貯留部１３へ搬送積載される。
【００１７】
硬貨については入金する硬貨を硬貨投入部２１にセットし、入力部２のスタートボタンを押下することにより一枚毎に分離され硬貨識別部２２に搬送される。硬貨識別部２２では、金種を判定し、その後硬貨一時貯留部２３へ搬送積載される。全ての貨幣の計数が終了すると表示部１に計数結果を表示する。
【００１８】
計数結果が正しければ、入力部２の確定ボタンの押下により紙幣は、紙幣一時貯留部１３から紙幣売上金回収庫１４へ収納される。同様に硬貨は、硬貨一時貯留部２３から硬貨売上金回収庫２４へ収納される。
【００１９】
店舗の現金が全て紙幣売上金回収庫１４および硬貨売上金回収庫２４へ収納された時点で、テナント店の入金金額が確定するので、制御部３にてその売上金を記憶する。
【００２０】
３．釣銭放出手順
テナント店担当者は、前記売上金を入金した後に、必要とする釣銭準備金を装置から取り出す。テナント店担当者は、釣銭準備金払い出し用のＩＤカード５をカード読み取り部４にて読み込ませることにより、テナント店舗ＩＤ番号が認識され釣銭準備金の払い出し要求が可能となる。
【００２１】
表示部１に表示された釣銭準備金選択メニューから必要な釣銭が装填されている釣銭トレー３１を指定することにより、釣銭保管庫扉３４をロックしている扉ロック３３が開放し、当該のトレー電磁ロック３２が外れ、釣銭トレー３１が手前に引き出されることにより、必要な釣銭準備金が取り出し可能となる。
【００２２】
釣銭準備金を取り出した後、釣銭トレー３１を押込むことによりトレー電磁ロック３２が施錠される。放出された釣銭トレー３１の釣銭準備金の金種・枚数及び釣銭を払い出したテナント店のＩＤ番号は、制御部３に記憶される。先程入金した売上金金額から、放出した釣銭準備金の金額を差引いた金額が、当該テナント店の本日の売上金として。制御部３にて記憶される。
【００２３】
各釣銭トレー３１および釣銭保管庫扉３４の不完全な閉まりの防止については（釣銭装填手順）と同様にメッセージまたは警告音を発する。機器故障時に各釣銭トレー３１が誤って開錠することを防ぐためトレー電磁ロック３２は故障時にはロックするようフェイルセイフ構造となっている。各釣銭トレー３１での取り忘れを防ぐため各釣銭トレー３１には反射光式または透過式の残留検出センサを配置し残留検出機能を具備する場合もある。
【００２４】
前記、釣銭保管庫４１は釣銭トレー３１が最大１５トレー設定できる構造であり、各テナント店１５店舗の釣銭準備金の登録が可能である。店舗が少なく、店舗毎の釣銭準備金額の設定種類が多い場合、1店舗あたりの設定種類を増やせるようプログラム設定可能である。
【００２５】
なお、本実施例では入金機本体の右側面に当該釣銭保管庫を設置しているが、装置本体の天井部、装置本体の左側面に設置することも可能である。
【符号の説明】
【００２６】
１  表示部
２  入力部
３  制御部
４  カード読み取り部
５  ＩＤカード
１１  紙幣投入部
１２  紙幣識別部
１３  紙幣一時保留部
１４  紙幣売上金回収庫
２１  硬貨投入部
２２  硬貨識別部
２３  硬貨一時貯留部
２４  硬貨売上金回収庫
３１  釣銭トレー
３２  トレー電磁ロック
３３  扉ロック
３４  釣銭保管庫扉
４１  釣銭保管庫
【図１】
2013239053.tif 000003
【図２】
2013239053.tif 000004